(57)【特許請求の範囲】
【請求項１】
端末装置と通信可能な通信部と、
商品を示す商品画像及び前記商品に関する文字情報を含み、前記商品に関する複数の情報表示項目が前記商品毎に対応付けられた複数の商品情報と、前記商品画像を除く所定の情報表示項目を強調表示する設定に関する設定情報とを記憶する記憶部と、
前記記憶された商品情報及び設定情報を基に、前記所定の情報表示項目を有する複数の商品情報を一覧表示する第１のウェブページを、前記強調表示が設定された前記所定の情報表示項目の文字情報が強調表示されるように生成可能であり、かつ、少なくとも前記商品を示す商品画像を含み前記所定の情報表示項目の文字情報が欠落した複数の商品情報を一覧表示する第２のウェブページを、前記第１のウェブページにおいて強調表示が設定され当該第２のウェブページにおいて欠落する前記所定の情報表示項目の文字情報に対応する前記商品画像が、文字情報によらずに強調表示されるように生成可能であり、
前記生成された第１のウェブページ及び第２のウェブページを、前記端末装置からのページ切り替え要求に応じて選択的に前記端末装置へ送信するように前記通信部を制御可能な制御部と
を具備し、
前記制御部は、前記端末装置から、前記第１のウェブページから前記第２のウェブページへの切り替え要求が受信された場合に、切り替え前の前記第１のウェブページおける前記強調表示の設定の有無を検出し、前記第１のウェブページにおいて前記強調表示が設定された情報表示項目が存在する場合には、当該情報表示項目に対応する商品画像が切り替え後の前記第２のウェブページにおいて強調表示されるように設定し、前記第１のウェブページにおいて前記強調表示が設定された情報表示項目が存在しない場合には、当該情報表示項目に対応する商品画像が前記第２のウェブページにおいて強調表示されないように設定する
情報処理装置。
【請求項２】
請求項１に記載の情報処理装置であって、
前記第１のウェブページは、第１の数の情報表示項目を有し、
前記第２のウェブページは、前記第１のウェブページが有する情報表示項目と重複し、前記第１の数よりも少ない第２の数の情報表示項目を有し、
前記制御部は、前記端末装置から、前記第１のウェブページから前記第２のウェブページへの切り替え要求が受信された場合に、前記第１のウェブページに含まれ前記強調表示が設定された情報表示項目を検出し、当該情報表示項目が前記第１のウェブページにおいて欠落するか否かを判断し、当該情報表示項目が欠落する場合に、当該情報表示項目に対応する商品画像が切り替え後の前記第２のウェブページで強調表示されるように設定する
情報処理装置。
【請求項３】
請求項２に記載の情報処理装置であって、
前記設定情報は、前記所定の情報表示項目の強調表示の設定に対して前記商品の販売者から支払われた金額に関する情報を含み、
前記制御部は、前記欠落する情報表示項目の強調表示の設定に対して支払われた金額に応じた程度で、当該情報表示項目に対応する商品画像の前記第２のウェブページにおける強調表示を設定する
情報処理装置。
【請求項４】
請求項１に記載の情報処理装置であって、
前記第１のウェブページにおける情報表示項目は、第１のサイズの前記商品画像を有し、
前記第２のウェブページにおける情報表示項目は、前記第１のサイズよりも大きい第２のサイズの前記商品画像を有し、
前記制御部は、前記第１のウェブページにおいて前記強調表示が設定された情報表示項目が存在する場合には、当該情報表示項目に対応する商品画像が切り替え後の前記第２のウェブページにおいて前記第２のサイズよりも大きい第３のサイズで表示されるように設定する
情報処理装置。
【請求項５】
請求項１に記載の情報処理装置であって、
前記制御部は、前記第１のウェブページにおいて前記強調表示が設定された情報表示項目が存在する場合には、当該情報表示項目に対応する商品画像が切り替え後の前記第２のウェブページにおいて第１の数だけ表示されるように設定し、前記第１のウェブページにおいて前記強調表示が設定された情報表示項目が存在しない場合には、当該情報表示項目に対応する商品画像が前記第２のウェブページにおいて前記第１の数より少ない第２の数だけ表示されるように設定する
情報処理装置。
【請求項６】
請求項１に記載の情報処理装置であって、
前記記憶部は、前記一覧表示された商品情報のうち前記端末装置のユーザが少なくとも関心を有する選択された関心商品情報を記憶し、
前記制御部は、前記第１のウェブページから前記第２のウェブページへの切り替え要求が受信された場合に、前記第２のウェブページにおいて前記記憶された関心商品情報の情報表示項目のみが表示されるように設定する
情報処理装置。
【請求項７】
請求項１に記載の情報処理装置であって、
前記記憶部は、前記一覧表示された商品情報のうち前記端末装置のユーザが少なくとも関心を有する選択された関心商品情報を記憶し、
前記制御部は、前記第１のウェブページから前記第２のウェブページへの切り替え要求が受信された場合に、前記第２のウェブページにおいて、前記記憶された関心商品情報に対応する商品画像が強調表示されるように設定する
情報処理装置。
【請求項８】
請求項４に記載の情報処理装置であって、
前記端末装置は、所定サイズの表示部を有し、前記表示部の向きに応じて当該表示部における画面表示方向を変更可能な携帯機器であり、
前記制御部は、前記所定サイズまたは向きに応じて、前記第２のウェブページにおける前記商品画像の配置を変更する
情報処理装置。
【請求項９】
請求項１に記載の情報処理装置であって、
前記制御部は、
前記端末装置から、前記第１のウェブページまたは前記第２のウェブページの商品情報のうち第１のカテゴリの商品情報を有するウェブページの送信要求が受信された場合に、前記第１のウェブページと同様の表示構成を有する第３のウェブページを生成して前記端末装置へ送信し、
前記端末装置から、前記第１のウェブページまたは前記第２のウェブページの商品情報のうち第２のカテゴリの商品情報を有するウェブページの送信要求が受信された場合に、前記第２のウェブページと同様の表示構成を有する第４のウェブページを生成して前記端末装置へ送信する
情報処理装置。
【請求項１０】
商品を示す商品画像及び前記商品に関する文字情報を含み、前記商品に関する複数の情報表示項目が前記商品毎に対応付けられた複数の商品情報と、前記商品画像を除く所定の情報表示項目を強調表示する設定に関する設定情報とを基に、前記所定の情報表示項目を有する複数の商品情報を一覧表示する第１のウェブページを、前記強調表示が設定された前記所定の情報表示項目の文字情報が強調表示されるように生成し、
前記商品情報及び前記設定情報を基に、少なくとも前記商品を示す商品画像を含み前記所定の情報表示項目の文字情報が欠落した複数の商品情報を一覧表示する第２のウェブページを、前記第１のウェブページにおいて強調表示が設定され当該第２のウェブページにおいて欠落する前記所定の情報表示項目の文字情報に対応する前記商品画像が、文字情報によらずに強調表示されるように生成し、
前記生成された第１のウェブページ及び第２のウェブページを、端末装置からのページ切り替え要求に応じて選択的に前記端末装置へ送信し、
前記端末装置から、前記第１のウェブページから前記第２のウェブページへの切り替え要求が受信された場合に、切り替え前の前記第１のウェブページおける前記強調表示の設定の有無を検出し、
前記第１のウェブページにおいて前記強調表示が設定された情報表示項目が存在する場合には、当該情報表示項目に対応する商品画像が切り替え後の前記第２のウェブページにおいて強調表示されるように設定し、
前記第１のウェブページにおいて前記強調表示が設定された情報表示項目が存在しない場合には、当該情報表示項目に対応する商品画像が前記第２のウェブページにおいて強調表示されないように設定する
情報処理方法。
【請求項１１】
情報処理装置に、
商品を示す商品画像及び前記商品に関する文字情報を含み、前記商品に関する複数の情報表示項目が前記商品毎に対応付けられた複数の商品情報と、前記商品画像を除く所定の情報表示項目を強調表示する設定に関する設定情報とを基に、前記所定の情報表示項目を有する複数の商品情報を一覧表示する第１のウェブページを、前記強調表示が設定された前記所定の情報表示項目の文字情報が強調表示されるように生成するステップと、
前記商品情報及び前記設定情報を基に、少なくとも前記商品を示す商品画像を含み前記所定の情報表示項目の文字情報が欠落した複数の商品情報を一覧表示する第２のウェブページを、前記第１のウェブページにおいて強調表示が設定され当該第２のウェブページにおいて欠落する前記所定の情報表示項目の文字情報に対応する前記商品画像が、文字情報によらずに強調表示されるように生成するステップと、
前記生成された第１のウェブページ及び第２のウェブページを、端末装置からのページ切り替え要求に応じて選択的に前記端末装置へ送信するステップと、
前記端末装置から、前記第１のウェブページから前記第２のウェブページへの切り替え要求が受信された場合に、切り替え前の前記第１のウェブページおける前記強調表示の設定の有無を検出するステップと、
前記第１のウェブページにおいて前記強調表示が設定された情報表示項目が存在する場合には、当該情報表示項目に対応する商品画像が切り替え後の前記第２のウェブページにおいて強調表示されるように設定するステップと、
前記第１のウェブページにおいて前記強調表示が設定された情報表示項目が存在しない場合には、当該情報表示項目に対応する商品画像が前記第２のウェブページにおいて強調表示されないように設定するステップと
を実行させるプログラム。
【発明の詳細な説明】
【技術分野】
【０００１】
本発明は、インターネット上でオークションサイト等のＥＣ（Electronic Commerce）サイトサービスを提供可能な情報処理装置、当該情報処理装置における情報処理方法及びプログラムに関する。
【背景技術】
【０００２】
従来から、例えばオークションサイトやＥＣサイトにおいては、例えばユーザがキーワードやジャンルによって商品を検索すると、商品の写真のほか、商品名、メーカー名、商品説明等のテキスト情報からなる商品情報欄がリスト表示される。この表示方式を、便宜上、リストビューと称する。【０００３】
しかし、近年ではスマートフォンやタブレットＰＣ（Personal Computer）等の携帯機器からも上記サイトにアクセス可能とされているが、これら携帯機器において上記商品情報欄が表示される場合、携帯機器のディスプレイサイズの都合上、ユーザの興味を最も惹くであろう商品写真のサイズは相対的に小さくなってしまい、ユーザはそれを拡大しない限り鮮明に見ることができない。【０００４】
そこで、上記リスト表示される商品情報欄とは別の画面として、商品写真が拡大されテキスト情報の少なくとも一部が省略された、あたかも商品ギャラリーのような画面を用意し、それが上記リストビューから切り替え表示可能なサイトも存在する（例えば、特許文献１参照。）。この表示形式を、便宜上、ギャラリービューと称する。
【先行技術文献】
【特許文献】
【０００５】
【特許文献１】特開２００９−１２８９９４号公報
【発明の概要】
【発明が解決しようとする課題】
【０００６】
ところで、上記サイトにおいては、商品販売者（出品者）が、例えば所定の手数料を支払うことによって、自身の商品の表示欄を目立たせる（強調表示する）オプションを設定可能なものも存在する。当該強調表示の例としては、上記リストビューにおいて、商品情報のテキストが太字となったり、大きくなったり、アイコンが付加されたりといったものが挙げられる。【０００７】
しかしながら、リストビューとギャラリービューとが切り替え可能なサイトにおいては、リストビューにおいて上記強調表示されていたテキスト情報が、ギャラリービューにおいて表示されなくなる場合がある。これでは、商品販売者にとっては、商品を目立たせるために要した手間（及び費用）が無駄になってしまい、不公平感を抱かざるを得ない。【０００８】
以上のような事情に鑑み、本発明の目的は、商品販売サイトにおける商品一覧画面がギャラリービューで表示された場合でも、自身の商品を他者の商品よりも強調表示させる設定を行なった販売者に不都合が生じるのを防ぐことが可能な情報処理装置、情報処理方法及びプログラムを提供することにある。
【課題を解決するための手段】
【０００９】
上述の課題を解決するため、本発明の一形態に係る情報処理装置は、端末装置と通信可能な通信部と、記憶部と、制御部とを有する。上記記憶部は、複数の商品情報及び設定情報を記憶可能である。商品情報は、商品を示す商品画像を含み、上記商品に関する複数の情報表示項目が上記商品毎に対応付けられたものであり、上記設定情報は、上記商品画像を除く所定の情報表示項目を強調表示する設定に関するものである。上記制御部は、上記記憶された商品情報及び設定情報を基に、上記所定の情報表示項目を有する複数の商品情報を一覧表示する第１のウェブページを、上記強調表示が設定された上記所定の情報表示項目が強調表示されるように生成可能である。また制御部は、少なくとも上記商品を示す商品画像を含み上記所定の情報表示項目が欠落した複数の商品情報を一覧表示する第２のウェブページを、上記第１のウェブページにおいて強調表示が設定され当該第２のウェブページにおいて欠落する上記所定の情報表示項目に対応する上記商品画像が強調表示されるように生成可能である。さらに制御部は、上記生成された第１のウェブページ及び第２のウェブページを、上記端末装置からのページ切り替え要求に応じて選択的に上記端末装置へ送信するように上記通信部を制御可能である。【００１０】
これにより情報処理装置は、商品販売サイトにおける商品一覧画面がギャラリービュー（第２のウェブページ）で表示された場合でも、自身の商品を他者の商品よりも強調表示させる設定を行なった販売者に不都合が生じるのを防ぐことができる。ここで、「商品画像が強調表示される」態様としては、例えば、第２のウェブページにおいて他の商品情報中の商品画像よりも、大きなサイズで、または高い解像度で表示されたり、明るさやコントラスト等が加工されたりすることが挙げられる。【００１１】
上記制御部は、上記端末装置から、上記第１のウェブページから上記第２のウェブページへの切り替え要求が受信された場合に、切り替え前の上記第１のウェブページおける上記強調表示の設定の有無を検出してもよい。そして制御部は、上記第１のウェブページにおいて上記強調表示が設定された情報表示項目が存在する場合には、当該情報表示項目に対応する商品画像が切り替え後の上記第２のウェブページにおいて強調表示されるように設定してもよい。一方、上記第１のウェブページにおいて上記強調表示が設定された情報表示項目が存在しない場合には、制御部は、当該情報表示項目に対応する商品画像が上記第２のウェブページにおいて強調表示されないように設定してもよい。【００１２】
上記第１のウェブページは、第１の数の情報表示項目を有してもよく、上記第２のウェブページは、上記第１のウェブページが有する情報表示項目と重複し、上記第１の数よりも少ない第２の数の情報表示項目を有してもよい。この場合上記制御部は、上記端末装置から、上記第１のウェブページから上記第２のウェブページへの切り替え要求が受信された場合に、上記第１のウェブページに含まれ上記強調表示が設定された情報表示項目を検出し、当該情報表示項目が上記第１のウェブページにおいて欠落するか否かを判断し、当該情報表示項目が欠落する場合に、当該情報表示項目に対応する商品画像が切り替え後の上記第２のウェブページで強調表示されるように設定してもよい。【００１３】
上記設定情報は、上記所定の情報表示項目の強調表示の設定に対して上記商品の販売者から支払われた金額に関する情報を含んでもよい。この場合上記制御部は、上記欠落する情報表示項目の強調表示の設定に対して支払われた金額に応じた程度で、当該情報表示項目に対応する商品画像の上記第２のウェブページにおける強調表示を設定してもよい。【００１４】
これにより、第２のウェブページで欠落する情報表示項目の強調表示に対して料金を支払った販売者に対してより納得感を与えることができる。【００１５】
上記第１のウェブページにおける情報表示項目は、第１のサイズの上記商品画像を有してもよく、上記第２のウェブページにおける情報表示項目は、上記第１のサイズよりも大きい第２のサイズの上記商品画像を有してもよい。この場合上記制御部は、上記第１のウェブページにおいて上記強調表示が設定された情報表示項目が存在する場合には、当該情報表示項目に対応する商品画像が切り替え後の上記第２のウェブページにおいて上記第２のサイズよりも大きい第３のサイズで表示されるように設定してもよい。【００１６】
これにより、第１のウェブページと第２のウェブページにおける商品画像の相違、並びに、強調表示設定の有無に応じた第２のウェブページにおける商品画像の相違がより鮮明となり、販売者の不満を抑えることができる。【００１７】
上記制御部は、上記第１のウェブページにおいて上記強調表示が設定された情報表示項目が存在する場合には、当該情報表示項目に対応する商品画像が切り替え後の上記第２のウェブページにおいて第１の数だけ表示されるように設定してもよい。一方、上記第１のウェブページにおいて上記強調表示が設定された情報表示項目が存在しない場合には、制御部は、当該情報表示項目に対応する商品画像が上記第２のウェブページにおいて上記第１の数より少ない第２の数だけ表示されるように設定してもよい。【００１８】
これによりユーザは、強調表示設定がされた商品情報とそうでない商品情報の相違を商品画像の数の相違によって一目で認識することができるため、販売者の不満を抑えられる。【００１９】
上記記憶部は、上記一覧表示された商品情報のうち上記端末装置のユーザが少なくとも関心を有する選択された関心商品情報を記憶してもよい。この場合上記制御部は、上記第１のウェブページから上記第２のウェブページへの切り替え要求が受信された場合に、上記第２のウェブページにおいて上記記憶された関心商品情報の情報表示項目のみが表示されるように設定してもよい。【００２０】
これにより、第２のウェブページにおいては、例えば端末装置のユーザが、お気に入り登録、ウォッチリスト登録、入札、カート投入等している商品の商品情報のみが表示されることになるため、強調表示された商品画像が相対的に目立つこととなり、販売者の満足度が向上する。【００２１】
上記記憶部は、上記一覧表示された商品情報のうち上記端末装置のユーザが少なくとも関心を有する選択された関心商品情報を記憶してもよい。この場合上記制御部は、上記第１のウェブページから上記第２のウェブページへの切り替え要求が受信された場合に、上記第２のウェブページにおいて、上記記憶された関心商品情報に対応する商品画像が強調表示されるように設定してもよい。【００２２】
これにより、例えば端末装置のユーザが、お気に入り登録、ウォッチリスト登録、入札、カート投入等している商品の商品情報が、強調表示設定がされた商品情報と同様に強調表示されることになり、ユーザの注目度が向上する。【００２３】
上記端末装置は、所定サイズの表示部を有し、上記表示部の向きに応じて当該表示部における画面表示方向を変更可能な携帯機器であってもよい。この場合上記制御部は、上記所定サイズまたは向きに応じて、上記第２のウェブページにおける上記商品画像の配置を変更してもよい。【００２４】
これにより情報処理装置は、例えばスマートフォン等の携帯機器において、第２のウェブページにおいて、強調表示設定に対応する商品画像が他の商品画像よりも大きく表示されることで、商品画像の配列がいびつになり閲覧性が低下するのを防ぐことができる。【００２５】
上記制御部は、上記端末装置から、上記第１のウェブページまたは上記第２のウェブページの商品情報のうち第１のジャンルの商品情報を有するウェブページの送信要求が受信された場合に、上記第１のウェブページと同様の表示構成を有する第３のウェブページを生成して上記端末装置へ送信してもよい。また制御部は、上記端末装置から、上記第１のウェブページまたは上記第２のウェブページの商品情報のうち第２のジャンルの商品情報を有するウェブページの送信要求が受信された場合に、上記第２のウェブページと同様の表示構成を有する第４のウェブページを生成して上記端末装置へ送信してもよい。【００２６】
これにより情報処理装置は、商品画像の重要度が比較的低いジャンルのページが要求された場合には第１のウェブページと同様の構成の第３のウェブページを表示させる一方、商品画像の重要度が高い、例えばファッションジャンルのページが要求された場合には、第２のウェブページと同様の構成の第４のウェブページを表示させることで、商品画像の強調表示の利点をより生かすことができる。【００２７】
本発明の他の形態に係る情報処理方法は、
商品を示す商品画像を含み、上記商品に関する複数の情報表示項目が上記商品毎に対応付けられた複数の商品情報と、上記商品画像を除く所定の情報表示項目を強調表示する設定に関する設定情報とを基に、上記所定の情報表示項目を有する複数の商品情報を一覧表示する第１のウェブページを、上記強調表示が設定された上記所定の情報表示項目が強調表示されるように生成すること、
上記商品情報及び上記設定情報を基に、少なくとも上記商品を示す商品画像を含み上記所定の情報表示項目が欠落した複数の商品情報を一覧表示する第２のウェブページを、上記第１のウェブページにおいて強調表示が設定され当該第２のウェブページにおいて欠落する上記所定の情報表示項目に対応する上記商品画像が強調表示されるように生成すること、及び
上記生成された第１のウェブページ及び第２のウェブページを、端末装置からのページ切り替え要求に応じて選択的に上記端末装置へ送信することを含む。【００２８】
本発明のまた別の形態に係るプログラムは、情報処理装置に、
商品を示す商品画像を含み、上記商品に関する複数の情報表示項目が上記商品毎に対応付けられた複数の商品情報と、上記商品画像を除く所定の情報表示項目を強調表示する設定に関する設定情報とを基に、上記所定の情報表示項目を有する複数の商品情報を一覧表示する第１のウェブページを、上記強調表示が設定された上記所定の情報表示項目が強調表示されるように生成するステップと、
上記商品情報及び上記設定情報を基に、少なくとも上記商品を示す商品画像を含み上記所定の情報表示項目が欠落した複数の商品情報を一覧表示する第２のウェブページを、上記第１のウェブページにおいて強調表示が設定され当該第２のウェブページにおいて欠落する上記所定の情報表示項目に対応する上記商品画像が強調表示されるように生成するステップと、
上記生成された第１のウェブページ及び第２のウェブページを、端末装置からのページ切り替え要求に応じて選択的に上記端末装置へ送信するステップと
を実行させるものである。【００２９】
以上のように、本発明によれば、商品販売サイトにおける商品一覧画面がギャラリービューで表示された場合でも、自身の商品を他者の商品よりも強調表示させる設定を行なった販売者に不都合が生じるのを防ぐことができる。ここに記載された効果は必ずしも本発明を限定するものではなく、本発明は、本開示中に記載されたいずれかの効果が達成できればよい。
【図面の簡単な説明】
【００３０】
【図１】本発明の実施形態に係るオークションシステムの構成を示した図である。
【図２】上記システムにおけるオークションサーバのハードウェア構成を示した図である。
【図３】上記システムにおけるユーザ端末のハードウェア構成を示した図である。
【図４】上記オークションサーバが有する、オプション設定に関するデータベースの構成を示した図である。
【図５】上記オークションサーバが、ユーザ端末からの要求に応じてウェブページを生成して送信する際の動作の流れを示したフローチャートである。
【図６】ユーザ端末からリクエストされたページに、オプション設定されたオークションが無い場合のリストビューの例を示した図である。
【図７】図６で示されたリストビューから切り替えられたギャラリービューの例を示した図である。
【図８】ユーザ端末からリクエストされたページに、オプション設定されたオークションが有る場合のリストビューの例を示した図である。
【図９】図８で示されたリストビューから切り替えられたギャラリービューの例を示した図である。
【発明を実施するための形態】
【００３１】
以下、本発明に係る実施形態を、図面を参照しながら説明する。
【００３２】
［システムの構成］
図１は、本実施形態に係るオークションシステムの構成を示した図である。
【００３３】
同図に示すように、このシステムは、インターネット５０上のオークションサーバ１００及び複数のユーザ端末２００を含む。
【００３４】
オークションサーバ１００は、オークションサイトの運営者により管理されるサーバであり、ユーザ端末２００とインターネット５０を介して接続されている。
【００３５】
ユーザ端末２００は、オークションに参加可能なユーザにより使用される端末であり、例えばスマートフォン、携帯電話、タブレットＰＣ（Personal Computer）、ノートブックＰＣ、デスクトップＰＣ等である。
【００３６】
オークションサーバ１００は、ユーザ端末２００からのアクセス要求に応じて、オークションに出品されている商品に関する各種情報項目等を有するウェブページ（ＨＴＭＬ（HyperText Markup Language）文書）を生成して、ユーザ端末２００へ返信する。
【００３７】
ユーザ端末２００は、オークションサーバ１００へアクセスし、上記ウェブページを受信して、ブラウザにより画面に表示する。ユーザ端末２００のユーザは、当該ブラウザによって表示された画面を介して、入札、落札及び各種オークション情報の閲覧等の操作を行なうことができる。
【００３８】
詳細は後述するが、オークションサーバ１００は、オークション情報を有するウェブページとして、２種類のページを生成可能である。
【００３９】
１つは、商品の写真、商品名、出品者名、メーカー名、商品説明等のテキスト情報からなる商品情報欄がリスト表示されるように設定されたページであり、これを本実施形態ではリストビューと称する。
【００４０】
もう１つは、商品写真が拡大され、テキスト情報の少なくとも一部が省略された商品情報がリスト表示されるように設定されたページであり、それがあたかも商品写真ギャラリーのように表示されることから、本実施形態おいてはこのページをギャラリービューと称する。
【００４１】
ユーザ端末２００は、所定のインタフェースを介して、上記リストビューとギャラリービューとを切り替えて表示させることが可能である。
【００４２】
［オークションサーバのハードウェア構成］
図２は、上記オークションサーバ１００のハードウェア構成を示した図である。同図に示すように、オークションサーバ１００は、ＣＰＵ（Central Processing Unit）１１、ＲＯＭ（Read Only Memory）１２、ＲＡＭ（Random Access Memory）１３、入出力インタフェース１５、及び、これらを互いに接続するバス１４を備える。
【００４３】
ＣＰＵ１１は、必要に応じてＲＡＭ１３等に適宜アクセスし、各種演算処理を行いながらオークションサーバ１００の各ブロック全体を統括的に制御する。ＲＯＭ１２は、ＣＰＵ１１に実行させるＯＳ、プログラムや各種パラメータなどのファームウェアが固定的に記憶されている不揮発性のメモリである。ＲＡＭ１３は、ＣＰＵ１１の作業用領域等として用いられ、ＯＳ、実行中の各種アプリケーション、処理中の各種データを一時的に保持する。
【００４４】
入出力インタフェース１５には、表示部１６、操作受付部１７、記憶部１８、通信部１９等が接続される。
【００４５】
表示部１６は、例えばＬＣＤ（Liquid Crystal Display）、ＯＥＬＤ（Organic ElectroLuminescence Display）、ＣＲＴ（Cathode Ray Tube）等を用いた表示デバイスである。
【００４６】
操作受付部１７は、例えばマウス等のポインティングデバイス、キーボード、タッチパネル、その他の入力装置である。操作受付部１７がタッチパネルである場合、そのタッチパネルは表示部１６と一体となり得る。
【００４７】
記憶部１８は、例えばＨＤＤ（Hard Disk Drive）や、フラッシュメモリ（ＳＳＤ；Solid State Drive）、その他の固体メモリ等の不揮発性メモリである。当該記憶部１８には、上記ＯＳや各種アプリケーション、各種データが記憶される。特に本実施形態において、記憶部１８は、出品者情報、商品名、商品説明、商品画像、メーカー名等の出品商品情報、及び、入札額、入札終了時刻等を含むオークション情報のデータベースを記憶している。また後述するが、記憶部１８は、オークション出品者が、出品商品に関する商品情報項目を、他のオークションの出品商品に関する商品情報項目よりも目立つように（強調表示されるように）設定した情報（設定情報）も記憶している。当該強調表示の設定は例えば有料で行なわれるが、無料であってもよい。
【００４８】
通信部１９は、例えばEthernet用のＮＩＣ（Network Interface Card）であり、上記ユーザ端末２００との間の通信処理を担う。
【００４９】
［スマートフォンのハードウェア構成］
図３は、上記ユーザ端末２００のハードウェア構成を示した図である。同図に示すように、ユーザ端末２００のハードウェア構成も、上記オークションサーバ１００のハードウェア構成と基本的に同様である。すなわち、ユーザ端末２００は、ＣＰＵ２１、ＲＯＭ２２、ＲＡＭ２３、入出力インタフェース２５、及び、これらを互いに接続するバス２４、表示部２６、操作受付部２７、記憶部２８、通信部２９を備える。ここで表示部は、ユーザ端末２００に外部接続されていてもよい。また記憶部２８としては、ＨＤＤ（Hard Disk Drive）が用いられてもよい。
【００５０】
ＣＰＵ２１は、記憶部２８や通信部２９等の各ブロックを制御して、オークションサーバ１００との通信処理や、各種データ処理を実行する。
【００５１】
操作受付部２７は、例えばタッチパネルやボタン等の入力装置であり、表示部２６と一体化されている。
【００５２】
記憶部２８は、例えばフラッシュメモリであり、ＯＳやブラウザ等の各種ソフトウェアや、それらの実行に必要なデータ等を記憶する。
【００５３】
通信部２９は、モバイルネットワークに接続するためのモジュールであり、上記オークションサーバ１００との間の通信処理を担う。
【００５４】
［オークションサーバのデータベース構成］
図４は、上記オークションサーバ１００が有するデータベースのうち、オプション設定に関するデータベースの構成を示した図である。
【００５５】
オークションサーバ１００は、少なくとも、ユーザ情報データベース（図示せず）、オークションデータベース（図示せず）及びオプション設定データベースを有している。
【００５６】
ユーザ情報データベースには、ユーザＩＤ、ログインＩＤ、パスワード、氏名、性別、年齢、住所、電話番号、メールアドレス、ランク等のユーザ情報が記憶されている。
【００５７】
オークションデータベースには、オークションＩＤ、そのオークションの出品者のユーザＩＤ、商品名、ジャンル、品番、商品説明、入札開始価格、即落価格、入札開始時間、入札終了時間、配送方法等といった出品情報、入札者のユーザＩＤ、入札価格、入札日時といった入札情報、落札者のユーザＩＤ、落札価格、落札日時といった落札情報が記憶されている。
【００５８】
オプション設定データベースは、出品者が、オークション内の情報表示項目が目立つように（強調表示されるように）設定した場合に、その設定に関する情報を記憶したデータベースである。
【００５９】
オプション設定データベースには、同図に示すように、出品者のユーザＩＤ、オークションＩＤ、設定されたオプションの種別、当該オプション設定に支払われた料金額、当該オプションの表示がギャラリービューでは欠落するか否かのフラグ、当該オークションに対応する商品画像等の情報が記憶されている。
【００６０】
本実施形態におけるオプション設定、すなわち、他のオークションよりも目立つようにするための強調表示の例としては、例えば、商品情報の大文字化、アイコンの付加、オークション表示欄の背景色の変更等が挙げられる。これらのオプション設定の種別に応じて、異なる課金額が設定されている。オプション設定は、料金の支払い以外にも、例えば出品者が有するポイントによって支払われてもよいし、出品者のランクに応じて特典として付与されてもよい。
【００６１】
ギャラリービューにおいては、リストビューにおいて表示されていたアイコンや商品情報等のテキストは欠落するため、オプション設定されたアイコンや大文字も表示されないことになる。一方、背景色については、ギャラリービューにおいてもリストビューと同様に設定される。
【００６２】
後述するように、本実施形態では、当該データベースを基に、ギャラリービューのウェブページがユーザ端末２００から要求された場合、ギャラリービューで欠落するオプションに対応する商品画像が、その課金額に応じて拡大されたサイズで表示されるようにギャラリービューのウェブページが生成される。
【００６３】
その他、オークションサーバ１００は、上記リストビュー及びギャラリービューの各ウェブページをＨＴＭＬにより作成するためのフォーマット等のデータも有している。
【００６４】
また本実施形態においては、リストビューとギャラリービューとで異なるサイズの商品画像が表示され、ギャラリービューにおいては欠落するオプション設定の有無に応じてさらに異なるサイズの商品画像が表示されることになる。このため、オークションサーバは、これらの場合に応じて予め複数サイズの商品画像を用意していてもよいし、商品画像としては所定サイズの１枚のみを用意しておき、各ビューにおける処理が必要になったときに、リアルタイムで商品画像のサイズを変更しても構わない。
【００６５】
［オークションサーバの動作］
次に、以上のように構成されたオークションサーバ１００の動作について説明する。当該動作は、オークションサーバ１００のＣＰＵ１１及び通信部１９等のハードウェアと、記憶部１８に記憶されたソフトウェアとの協働により実行される。以下の説明では、便宜上、ＣＰＵ１１を動作主体とする。
【００６６】
図５は、本実施形態におけるオークションサーバ１００が、ユーザ端末２００からの要求に応じてウェブページを生成して送信する際の動作の流れを示したフローチャートである。
【００６７】
本実施形態では、リストビューとギャラリービューのうち、デフォルトではリストビューが表示され、アイコンによる切り替えによってギャラリービューが表示可能とされているものとする。
【００６８】
同図に示すように、オークションサーバ１００のＣＰＵ１１は、ユーザ端末２００から、例えばキーワード検索やジャンル検索等によって、オークションページ（入札中のオークション情報が掲載されたページ）のリクエストが受信されたか否かを判断する（ステップ５１）。
【００６９】
オークションページのリクエストがあった場合（Ｙｅｓ）、ＣＰＵ１１は、上記リクエストに応じて、キーワードやジャンルに対応したオークションの情報表示項目（商品画像、及び、商品名、出品者、商品説明等のテキスト情報）を、オークション毎に抽出し、それをリストビュー用のフォーマットにオークションリストとして組み込んで、ＨＴＭＬによりリストビューのウェブページを生成する（ステップ５２）。
【００７０】
ここで、上記オークションにオプション設定がある場合には、ＣＰＵ１１は、当該設定に応じて、上記フォーマット上に、背景色、アイコン、大文字等の強調表示も設定する。
【００７１】
続いてＣＰＵ１１は、上記生成されたリストビューのウェブページを、リクエスト元のユーザ端末２００へ送信する（ステップ５３）。これによりユーザ端末２００の表示部２６には、ブラウザによって上記リストビューのウェブページが表示される。
【００７２】
続いてＣＰＵ１１は、ユーザ端末２００から、リストビューからギャラリービューへの表示切り替えリクエストを受信したか否かを判断する（ステップ５４）。
【００７３】
表示切り替えリクエストが受信されたと判断した場合（Ｙｅｓ）、ＣＰＵ１１は、現在ユーザ端末２００で表示されているリストビューにおける各オークションを特定し、それらのオークションの中に、オプション設定されたオークションがあるか否かを判断する（ステップ５５）。
【００７４】
オプション設定されたオークションがある場合（Ｙｅｓ）、ＣＰＵ１１は、当該設定されたオプションが、ギャラリービューにおいて欠落するオプションであるか否かを判断する（ステップ５６）。上述のとおり、本実施形態において欠落するオプションとは、例えばアイコン付加設定や、文字の大文字設定等であり、欠落しないオプションとは、例えば背景色の変更設定等である。
【００７５】
上記オプションがギャラリービューにおいて欠落するオプションであると判断した場合（Ｙｅｓ）、ＣＰＵ１１は、そのオプション設定がされた情報表示項目に対応する商品画像を選択し、その画像のサイズが、オプション設定における課金額に応じた割合で大きくなるように、画像表示サイズのタグを設定したり、予め用意した拡大された画像を選択したりする（ステップ５７）。
【００７６】
一方、上記オプションがギャラリービューにおいて欠落するオプションでないと判断した場合（Ｎｏ）、ＣＰＵ１１は、当該オプション設定がされた情報表示項目に対応する商品画像を、ギャラリービューにおける通常のサイズに設定する（ステップ５８）。
【００７７】
続いてＣＰＵ１１は、ギャラリービュー用のフォーマットに、上記設定された商品画像及びその他の情報表示項目を組み込み、ＨＴＭＬでギャラリービューのウェブページを生成する（ステップ５９）。
【００７８】
そしてＣＰＵ１１は、上記生成されたギャラリービューのウェブページをユーザ端末２００へ送信する（ステップ６０）。
【００７９】
ＣＰＵ１１は、ユーザ端末２００からページリクエストがある度に、以上の処理を繰返し実行する。
［ビュー切り替え時の表示例］
【００８０】
図６、図７、図８及び図９は、本実施形態においてオークションサーバ１００によって生成されユーザ端末２００上で表示されるリストビュー及びギャラリービューの例を示した図である。
【００８１】
図６は、ユーザ端末２００からリクエストされたページに、オプション設定されたオークションが無い場合のリストビューの例を示した図である。
【００８２】
同図に示すように、リストビューの上部には、ユーザが所望のオークションを検索するための検索ボックス６３及び検索ボタン６４が表示される。
【００８３】
検索ボタン６４の下部には、ユーザがリストビューとギャラリービューとを切り替えるためのリストビュー切替ボタン６１及びギャラリービュー切替ボタン６２が表示される。
【００８４】
それらの下部には、ユーザの検索内容に応じた、出品中のオークションの一覧が表示される。一覧中の各オークション表示欄は、商品画像６５、商品名、商品説明、現在価格、残り時間、入札数等のテキスト情報６６、及びそのオークションをウォッチリストに登録するためのウォッチリスト登録ボタン６７をそれぞれ有する。
【００８５】
図７は、図６に示されたリストビューから切り替えられたギャラリービューの例を示した図である。
【００８６】
同図に示すように、切り替え後のギャラリービューにおいては、切り替え前のリストビューと比較して、商品画像７１が大きなサイズで表示されている。またテキスト情報７２においては、入札価格、残り時間、入札数等の情報以外の商品情報は欠落している。
【００８７】
各オークション欄は例えば画面横方向に２つずつ表示される。しかし、ユーザ端末２００の表示部２６のサイズ等によっては、横方向に３つ以上表示されても構わない。
【００８８】
図８は、ユーザ端末２００からリクエストされたページに、オプション設定されたオークションが有る場合のリストビューの例を示した図である。
【００８９】
同図に示すように、図６に示したリストビューと比較して、オプション設定が有る場合には、例えばテキスト情報６６のうち商品名、商品説明等が大きく表示され、また目立つためのアイコン８１が付加されている。
【００９０】
図９は、図８に示されたリストビューから切り替えられたギャラリービューの例を示した図である。
【００９１】
リストビューにおいて上記大文字設定及びアイコン付加設定のオプションが設定されている場合、それらオプションはギャラリービューでは欠落するオプションである。その場合、同図に示すように、オプション設定がされた項目に対応する商品画像９１が、欠落したオプションに対する課金額に応じたサイズに拡大されて表示されている。
【００９２】
例えば、大文字設定の課金額が２０円、アイコン付加設定の課金額が３０円であり、計５０円の料金がオプション設定に支払われている場合、ギャラリービューにおける商品画像７１のサイズは、他のオプション設定無しのオークションの商品画像７１の１．５倍に設定される。
【００９３】
オプション設定が大文字設定のみである場合には、商品画像９１は、例えば、他のオプション設定無しのオークションの商品画像７１の１．２倍に表示されてもよい。
【００９４】
［実施形態のまとめ］
以上説明したように、本実施形態では、リストビューからギャラリービューに切り替えられることによってリストビューにおいて設定されていたオプションが欠落する場合であっても、それに対応する商品画像が、ギャラリービューにおいて他のオークションの商品画像よりも課金額に応じて大きく表示される（強調表示される）。したがってオークションサーバ１００は、上記オプションの欠落により出品者の不満が生じるのを防ぐことができる。
【００９５】
［変形例］
本発明は上述の実施形態にのみ限定されるものではなく、本開示の要旨を逸脱しない範囲内において種々変更され得る。
【００９６】
上述の実施形態においては、ギャラリービューにおける商品画像の強調表示の例として、商品画像がオプション設定の課金額に応じて拡大表示される例が示された。しかし、商品画像の強調表示の例はこれに限られない。例えば、課金額に応じて、商品画像の解像度が高く設定されてもよいし、商品画像の明度やコントラストが高く設定されても構わない。また商品画像に目立つ外枠が表示されてもよい。
【００９７】
この場合、解像度、明度、コントラスト、外枠の有無に応じて複数の商品画像が予め記憶され、それがビュー切り替えリクエスト時に選択されてもよいし、ビュー切り替えリクエスト時にリアルタイムで商品画像が加工されてもよい。
【００９８】
また、ギャラリービューにおける商品画像の他の強調表示の例として、オプション設定がされているオークションの商品画像の枚数が、オプション設定無しのオークションの商品画像よりも多く表示されてもよい。例えばオプション設定無しの場合にはギャラリービューにおける商品画像は１枚のみ表示され、オプション設定有りの場合にはギャラリービューにおける商品画像が２枚表示されてもよいし、また複数の商品画像が所定時間毎に切り替えて表示されてもよい。
【００９９】
上記実施形態に加えて、ギャラリービューにおいては、ユーザにお気に入り登録されている出品者のオークション、または、ウォッチリスト／入札中のオークション等、ユーザが少なくとも関心を持っているオークションのみがフィルタリングされて表示されてもよい。
【０１００】
この場合オークションサーバ１００は、ユーザ情報データベースとして、お気に入り登録、ウォッチリスト、入札中オークション等の情報を記憶する。
【０１０１】
また、ギャラリービューにおいては、お気に入りに登録されている出品者のオークション、または、ウォッチリスト／入札中のオークションの商品画像が、オプション設定によって強調表示された商品画像と同様に強調表示されてもよい。
【０１０２】
上述の実施形態において、ユーザ端末２００がスマートフォン等の比較的小さい表示部を有し、かつ、表示部の向きに応じて当該表示部における画面表示方向を変更可能な携帯機器である場合には、画面表示方向に応じて、ギャラリービューの各オークション表示欄の配置（縦横数）が変更されてもよい。
【０１０３】
例えば図７の例では、画面が縦に表示され、横方向に２つのオークション表示欄が表示されているが、この状態から画面が横にされた場合には、横に３つまたは４つのオークション表示欄が表示されてもよい。
【０１０４】
またこの場合、ギャラリービューで商品画像が大きく表示されることで、そのままの表示では他のオークション表示欄との関係で表示欄の大きさが合わなくなる場合には、なるべく隙間が生じないようにオークション表示欄の配置が変更されてもよい。
【０１０５】
例えば図９のようにオプション設定に対応する商品画像が大きく表示されている状態から、画面が横にされた場合には、大きく表示されたオークション欄の隣に、縦方向においてそのオークション表示欄の２分の１の大きさを有するオークション表示欄が２つ表示されてもよい。
【０１０６】
上述の実施形態においては、デフォルトでリストビューが表示され、ビュー切り替えボタン６２によってギャラリービューが表示される例が示された。しかし、特定のジャンルのオークションについては、デフォルトでギャラリービューが表示されてもよい。例えば、商品画像の重要度が高いと思われる衣服ジャンルのオークションについては、デフォルトでギャラリービューが表示されてもよい。
【０１０７】
上述の実施形態においては、本発明がオークションシステムに適用された例が示されたが、例えば電子商店街等の他のサービスに適用されてもよい。
【符号の説明】
【０１０８】
１１、２１…ＣＰＵ
１８、２８…記憶部
１９、２９…通信部
５０…インターネット
６１…リストビュー切替ボタン
６２…ギャラリービュー切替ボタン
６５、７１、９１…商品画像
６６、７２…テキスト情報
８１…アイコン
１００…オークションサーバ
２００…ユーザ端末
【要約】
情報処理装置は、端末装置と通信可能な通信部と記憶部と制御部とを有する。記憶部は、商品を示す商品画像を含み、商品に関する複数の情報表示項目が商品毎に対応付けられた複数の商品情報と、商品画像を除く所定の情報表示項目を強調表示する設定に関する設定情報とを記憶可能である。制御部は、商品情報及び設定情報を基に、強調表示が設定された所定の情報表示項目が強調表示される複数の商品情報を一覧表示する第１のウェブページを生成可能であり、強調表示された商品画像を含み所定の情報表示項目が欠落した複数の商品情報を一覧表示する第２のウェブページを生成可能であり、第１のウェブページ及び第２のウェブページを、端末装置からの切り替え要求に応じて選択的に送信するように通信部を制御可能である。【図１】
0005671655.tif 000002
【図２】
0005671655.tif 000003
【図３】
0005671655.tif 000004
【図４】
0005671655.tif 000005
【図５】
0005671655.tif 000006
【図６】
0005671655.tif 000007
【図７】
0005671655.tif 000008
【図８】
0005671655.tif 000009
【図９】
0005671655.tif 000010